(57)【要約】      （修正有）【課題】植木鉢に土壌シートを装着した際に、幹の根元周辺の土壌が露出することが無く、土壌内に害虫が侵入することを防ぐ土壌シートを提供する。【解決手段】植木鉢３の土壌４上に敷設する土壌シートであって、シート状の本体部１を備え、本体部１には、本体部１の中央部周辺から外周縁に向かう第１切断線１１と、第１切断線１１の一端側に連接され、その第１切断線１１と交差する少なくとも１つの第２切断線１２と、本体部１の外縁の大きさを調節する第３切断線１３ａ〜１３ｃと、が設けられていることを特徴とする。【選択図】図１
0003200538.tif 000002
【実用新案登録請求の範囲】
【請求項１】
植物の周囲に敷設する土壌シートであって、
シート状の本体部を備え、
前記本体部には、前記本体部の中央部周辺から外周縁に向かう第１切断線と、
前記第１切断線の一端側に連接され、その第１切断線と交差する少なくとも１つの第２切断線と、
前記本体部の外縁の大きさを調節する第３切断線と、が設けられていることを特徴とする、土壌シート。
【請求項２】
前記第１切断線、前記第２切断線、及び、前記第３切断線の少なくとも1つが、ミシン目で形成されていることを特徴とする、請求項１に記載の土壌シート。
【請求項３】
前記本体部には、さらに第４切断線が設けられており、
前記第４切断線は、前記第１切断線又は前記第２切断線に連接して設けられる連続線と、
この連続線と交差する交差線とを有していることを特徴とする、請求項１又は請求項２に記載の土壌シート。
【請求項４】
前記本体部には、前記第１切断線と交差する第５切断線が複数設けられていることを特徴とする、請求項１〜３の何れかに記載の土壌シート。
【請求項５】
前記本体部には、さらに第６切断線が設けられており、
前記第６切断線は、前記第２切断線の周辺に円状に形成されていることを特徴とする請求項１〜４の何れかに記載の土壌シート。
【請求項６】
前記第１切断線に沿って裁断された切れ目を止着する止着手段をさらに備えることを特徴とする、請求項１〜５の何れかに記載の土壌シート。
【請求項７】
前記本体部は、少なくとも片面が起毛の不織布で形成されており、
前記止着手段は、面ファスナーのフック面であることを特徴とする、請求項６に記載の土壌シート。
【考案の詳細な説明】
【技術分野】
【０００１】
本考案は、植物の周囲に敷設する土壌シートに関するものである。
【背景技術】
【０００２】
従来から、植木鉢に植栽された植物の周囲に敷設する土壌シートが提案されている（特許文献１〜３参照）。このように植物の根元周辺に、不織布や畳表により形成されたシートを敷設することによって、雑草防止効果及び保湿効果を得ることや、雨などによる泥はねを防止することが可能となっている。
【０００３】
これら従来の土壌シートは、土壌シート内の一部に開口部を設け、この開口部から土壌シートの周縁に向けて裁断されており、この裁断箇所を通じて、植物の幹を開口部まで移動させることができるよう構成されている。
【先行技術文献】
【特許文献】
【０００４】
【特許文献１】特開２０００−３５４４２８号公報
【特許文献２】特開２００２−１４２５６９号公報
【特許文献３】特開２００８−２８９４５７号公報
【考案の概要】
【考案が解決しようとする課題】
【０００５】
ところで、植物を育てる上では害虫への対策が不可欠である。中でもコガネムシの幼虫は、地中で根を食い荒らし、気が付かない間に株が枯れ死にしてしまう原因となっており、栽培者を困らせている。特に、鉢植えの場合には、地植えに比べて土の容積が圧倒的に少なく、幼虫の餌となるものが植物の根のみであるため、あっという間に食い荒らされてしまう。そのため鉢植え栽培を行う場合には、コガネムシへの対策を十分に行う必要がある。
【０００６】
このコガネムシの幼虫は、成虫が土壌中に潜り込み、直物の根元付近に卵を産み付けることによって発生する。そのため、まずは、コガネムシの成虫が土壌中へ進入することを防ぎ、産卵を防止することが有効な対策となる。
【０００７】
しかしながら、先行文献１〜３に記載された従来の土壌シートには、土壌シートの中心に開口部が設けられており、この開口部から土壌が露出してしまい、コガネムシの進入経路となってしまうという問題があった。すなわち、植物の幹の径が開口部より小径である場合や、幹が植木鉢の中心に位置していない場合には、開口部から土壌が露出してしまい、コガネムシの成虫が進入する経路を形成してしまう。
【０００８】
本考案は、かかる実情に鑑み、植物の根元に土壌シートを敷設した際に、幹の根元周辺の土壌が露出することが無く、土壌内に害虫が侵入することを防ぐ土壌シートを提供することを課題とする。
【課題を解決するための手段】
【０００９】
上記課題を解決するため、本考案に係る土壌シートは、植物の周囲に敷設する土壌シートであって、シート状の本体部を備え、前記本体部には、前記本体部の中央部周辺から外周縁に向かう第１切断線と、前記第１切断線の一端側に連接され、その第１切断線と交差する少なくとも１つの第２切断線と、前記本体部の外縁の大きさを調節する第３切断線と、が設けられていることを特徴とする。
ここで、切断線とは、本体部に対して設定した切断対象線に添って切断した線、及び切断前の切断対象線の何れでも含むこととする。
【００１０】
このように、第１切断線と第２切断線とを設け、これらの切断線に植物の幹５を貫通させるよう構成することで、害虫の侵入経路となる開口部の形成を抑制することができる。
また、第３切断線を設けることで、様々な大きさの植木鉢に対して、容易に適用させることができる。
【００１１】
本考案の好ましい形態では、前記第１切断線、前記第２切断線、及び、前記第３切断線の少なくとも1つが、ミシン目で形成されていることを特徴とする。
このように、切断線をミシン目で形成することにより、道具等を使用せずに、素手等で容易に裁断することができる。
【００１２】
本考案の好ましい形態では、前記本体部には、さらに第４切断線が設けられており、前記第４切断線は、前記第１切断線又は前記第２切断線に連接して設けられる連続線と、この連続線と交差する交差線とを有していることを特徴とする。
このように、第４切断線が設けられていることにより、植物の幹の位置が植木鉢の中心付近に植栽されていない場合であっても、適用可能なよう構成することができる。
【００１３】
本考案の好ましい形態では、前記本体部には、前記第１切断線と交差する第５切断線が複数設けられていることを特徴とする。
このように、第５切断線が設けられていることにより、植物の幹の位置が植木鉢の中心付近に植栽されていない場合であっても、適用可能なよう構成することができる。
【００１４】
本考案の好ましい形態では、前記本体部には、さらに第６切断線が設けられており、前記第６切断線は、前記第２切断線の周辺に円状に形成されていることを特徴とする。
このように、第６切断線が設けられていることにより、幹の外形に沿って裁断することができ、第２切断線周辺が浮き上がってしまうことを抑制することができる。
【００１５】
本考案の好ましい形態では、前記第１切断線に沿って裁断された切れ目を止着する止着手段をさらに備えることを特徴とする。
このように、切れ目を止着する止着手段を設けることによって、風が吹いた時等に本体部がめくれてしまうことを抑制して、本体部の固定性を向上させることができる。
【００１６】
本考案の好ましい形態では、前記本体部は、少なくとも片面が起毛の不織布で形成されており、前記止着手段は、面ファスナーのフック面であることを特徴とする。
このように、本体部は、透水性を有する不織布によって形成されていることにより、散布した水や雨水を土壌に染み込ませることができる。また、このように、本体部の少なくとも片面が起毛の不織布で形成され、止着手段に面ファスナーのフック面を用いることで、不織布の本体部に止着手段を直接止着することができ、極めて簡単に止着手段を設けることができる。
【考案の効果】
【００１７】
本考案によれば、植物の根元に土壌シートを敷設した際に、幹の根元周辺の土壌が露出することが無く、土壌内に害虫が侵入することを防ぐ土壌シートを提供することができる。
【図面の簡単な説明】
【００１８】
【図１】本考案の実施形態１に係る土壌シートを敷設する様子を示す斜視図である。
【図２】本考案の実施形態１に係る土壌シートの平面図である。
【図３】本考案の実施形態１に係る土壌シートの使用状態を示す斜視図である。
【図４】本考案の実施形態２に係る土壌シートの本体部の平面図である。
【図５】本考案の実施形態３に係る土壌シートの本体部の平面図である。
【図６】本考案の実施形態４に係る土壌シートの本体部の平面図である。
【図７】本考案の実施形態５に係る土壌シートの本体部の平面図である。
【考案を実施するための形態】
【００１９】
以下、本考案を図面に示した好ましい実施形態１ないし実施形態５について詳細に説明する。本考案の技術的範囲は、添付図面に示した実施形態に限定されるものではなく、実用新案登録請求の範囲に記載された範囲内において、適宜変更が可能である。
【００２０】
＜実施形態１＞
本実施形態１に係る土壌シートは、植木鉢３の土壌４上に敷設される本体部１と、この本体部１の裁断箇所に止着する止着手段２と、を備えている（図１参照）。
【００２１】
本体部１は、円形のシート状に形成されており、本体部１の中央部周辺から外周縁に向かう第１切断線１１と、この第１切断線１１の一端側に連接され、その第１切断線１１と交差する少なくとも１つの（図示例では３つの）第２切断線１２と、本体部１の外縁の大きさを調節する第３切断線１３と、を有している（図２（ａ）参照）。
【００２２】
第１切断線１１は、本体部１のほぼ中心から本体部１の外周縁まで裁断された切れ目が形成されている。この第１切断線１１に、植物の幹５を通して、幹５を第２切断線１２が設けられた位置まで移動させ、本体部１を植木鉢３の土壌４上に敷設する。
【００２３】
第２切断線１２は、第１切断線１１の一端側に交差するよう設けられ、放射線状に裁断された切れ込みが形成されている。この第２切断線１２には、第１切断線１１を通じて植物の幹５が貫通させられ、幹５の太さに応じて、開口幅が自動的に調節されるよう構成されている（図３（ａ）及び図３（ｂ）参照）。
【００２４】
これら第１切断線１１及び第２切断線１２は、使用者が敷設しやすいように、裁断された状態で形成されていることが望ましい。しかしながら、これらの第１切断線１１及び第２切断線１２に沿ってミシン目を形成したり、切断線位置を薄肉に形成しておくことで、素手等で容易に裁断可能なよう構成することや、ガイド線を印刷しておいて、鋏などで裁断するように形成することも当然に可能である。
したがって、本考案で言う切断線の意味は、本体部に対して設定した切断対象線に添って切断した線、及び切断前の切断対象線の何れでも含むことになる。また、切断線位置を薄肉に形成したり、ミシン目等を形成して、手で切断可能にしたもの、さらには挟み等で裁断可能に形成したガイド線なども含むことになる。
【００２５】
第３切断線１３は、植木鉢３の号数に対応した直径に形成されており、本体部１に複数本設けることが望ましい。例えば、図２（ａ）に示すように、異なる直径の第３切断線１３を３種類設けた場合には、最外殻に位置する第３切断線１３ｃを切り取った場合（図３（ａ）参照）、最内殻に位置する第３切断線１３ａを切り取った場合（図３（ｂ）参照）、これらの中間に位置する第３切断線１３ｂを切り取った場合（図示せず）、さらに、本体部１の外形をそのまま使用する場合（図１参照）を合わせて、４種類の号数に対応させることができる。なお、この第３切断線の本数は３本に限られず、いくつ設けてもよい。
【００２６】
この第３切断線１３は、使用者が容易に裁断可能なミシン目や、薄肉に形成されていることが望ましい。しかしながら、前述した第１切断線１１や第２切断線１２のように、ガイド線を印刷しておいて、鋏などで裁断するように形成することもできる。
【００２７】
この本体部１の材料としては、植木鉢３に散布した水や雨水が土壌４に達するよう、不織布や布等の透水性を有した材料が好ましく用いられる。また、畳表や、金属、プラスチック等の透水性を有しない材料に、小孔や切込を設けたり、金網状に形成したものを用いても良い。また、不織布で形成する場合には、厚さを１ｍｍ以上に形成することが望ましく、少なくとも片面が起毛のものであることが望ましい。
【００２８】
止着手段２は、第１切断線１１の裁断箇所の表面及び裏面の何れかに設けられ、面ファスナー（フック面）２１が好ましく用いられる（図２（ｂ）参照）。このように、面ファスナー（フック面）２１を用いる場合には、フック部２２が起毛の不織布の毛羽立った繊維と係合して、裁断箇所を止着することができる。また、この他の止着手段２としては、面ファスナー（フック面）と面ファスナー（ループ面）をそれぞれ裁断箇所の両側に設置して止着するように構成しても良いし、フック等の汎用の固定具を取付けて止着するように構成しても良い。
【００２９】
本考案によれば、第１切断線及び第２切断線１２に幹５を貫通させることにより、根元周辺の土壌４が露出することを抑制して、コガネムシ等の害虫が土壌４に進入することを防ぐことができる。すなわち、第１切断線及び第２切断線１２によって、放射状に切れ込みを設けることにより、幹５の太さに合わせて開口幅を調節して、根本周辺に不必要な開口部が形成されないように構成することができる。
【００３０】
また、本考案によれば、第３切断線１３をミシン目で形成することにより、様々な大きさの植木鉢３への適用を容易にすることができる。すなわち、植木鉢３の号数と同じ直径に形成された第３切断線１３を、素手で容易に裁断可能なミシン目によって形成することにより、使用者は鋏等の道具を用いずに切り取り作業を行い、植木鉢３に好ましい大きさの本体部１を容易に形成することができる。
【００３１】
また、本考案によれば、本体部１が透水性を有する不織布によって形成されているため、本体部１を植木鉢に設置した状態で水やりを行うことができる。さらに、土壌４からの水分蒸発を少なくすることができるので、夏場等の水やり頻度を低減させることができる。
加えて、本体部１に厚さ１ｍｍ以上の不織布を使用することにより、遮光性を向上させて、雑草防止効果を発揮させることができる。
【００３２】
また、本考案によれば、止着手段２を設けることにより、野外等で本体部１を敷設した際の固定性を向上させることができる。すなわち、第１切断線１１を裁断した切り目等から風が進入することによる本体部１のめくれ等を抑制して、本体部１が容易に剥がれてしまわないよう構成することができる。また、裁断箇所を止着手段２によって覆うことで、害虫の侵入経路を塞ぐことができる。
【００３３】
また、本考案によれば、本体部１が起毛の不織布で形成され、その起毛箇所に面ファスナー（フック面）２１を取付けることで、容易に止着手段２を設けることができる。すなわち、本体部１が起毛の不織布で形成されているために、面ファスナー２１のフック部２２を不織布の毛羽立った繊維と係合させて止着することができる。そのため、本体部１に固定具等の取り付け作業等を行う必要が無く、極めて簡単に止着手段２を設けることができる。
【００３４】
＜実施形態２＞
以下、本考案の実施形態２の土壌シートについて、図４を参照して詳細に説明する。この実施形態２では、土壌シートの本体部１に、第４切断線がさらに設けられていること特徴とする。なお、同実施形態において、先の実施形態と基本的に同一の構成要素については、同一の符号を付してその説明を簡略化する。
【００３５】
本実施形態に係る土壌シートの本体部１には、第１切断面１１の一端側に第４切断線１４が設けられている（図４参照）。この第４切断線１４は、第１切断線１１に連接して設けられる連続線１４ａと、この連続線１４ａと交差する交差線１４ｂとを有している。
この連続線１４ａと交差線１４ｂとは、ミシン目によって形成されていることが望ましい。
【００３６】
本実施形態によれば、第４切断線１４を設けたことにより、植木鉢３の中心付近に幹５が植栽されていない場合であっても、適用可能な本体部１とすることができる。すなわち、幹５の位置が第２切断線１２の形成位置に適合しない場合には、第４切断線１４のミシン目を裁断することで、幹５の貫通位置を形成することができる。
【００３７】
なお、図４に示した第４切断線１４は、第１切断線１１に連接して設けた例を示したが、第２切断線１２と連接して設けても良いし、第４切断線１４を複数本設けるように構成してもよい。
【００３８】
＜実施形態３＞
以下、本考案の実施形態３の土壌シートについて、図５を参照して詳細に説明する。この実施形態３に土壌シートの本体部１には、第５切断線がさらに設けられていること特徴とする。なお、同実施形態において、先の実施形態と基本的に同一の構成要素については、同一の符号を付してその説明を簡略化する。
【００３９】
本実施形態に係る本体部１には、第１切断線１１と交差する第５切断線１５が複数設けられている（図５参照）。この第５切断線１５は、先の実施形態の第４切断線１４と同様にミシン目で形成されていることが望ましい。
【００４０】
本実施形態によれば、第５切断線１５を設けたことにより、先の実施形態２と同様に、植木鉢３の中心付近に幹５が植栽されていない場合であっても、適用可能な本体部１とすることができる。すなわち、幹５の位置が第２切断線１２の形成位置に適合しない場合には、第５切断線１５のミシン目を裁断することで、幹５の貫通位置を形成することができる。
【００４１】
＜実施形態４＞
以下、本考案の実施形態４の土壌シートについて、図６を参照して詳細に説明する。この実施形態４に土壌シートの本体部１には、第６切断線がさらに設けられていること特徴とする。なお、同実施形態において、先の実施形態と基本的に同一の構成要素については、同一の符号を付してその説明を簡略化する。
【００４２】
本実施形態に係る本体部１には、第２切断線１２の周辺に第６切断面１６が設けられている（図６参照）。この第６切断面１６は、円状のミシン目によって同心円状に複数設けられていることが望ましい。
【００４３】
本実施形態によれば、第６切断線１６を設けたことにより、土壌４の露出面積をさらに低減させることができる。すなわち、幹５の太さ合わせて、第６切断線１６を切断することにより、幹５の太さに対応した開口部を形成することができ、第２切断線１２周辺が盛り上がることにより生じる土壌４の露出面を無くすことができる。その結果、害虫の侵入経路をさらに塞ぐことができる。
【００４４】
＜実施形態５＞
以下、本考案の実施形態５の土壌シートについて、図７を参照して詳細に説明する。この実施形態５に土壌シートの本体部１は、外形が長方形状に形成されていること特徴とする。なお、同実施形態において、先の実施形態と基本的に同一の構成要素については、同一の符号を付してその説明を簡略化する。
【００４５】
本実施形態に係る本体部１は、本体部１の外形が長方形状に形成されている（図６参照）。
また、第１切断線１１や第２切断線１２は長さ方向に間隔をおいて複数箇所に設けられている。
【００４６】
本実施形態によれば、本体部１の外形を長方形状に形成することにより、プランター等の横長な植木鉢等に適用させることができる。
また、第１切断線及び第２切断線をミシン目によって複数設けることにより、プランターに植栽された植物の必要箇所のみを裁断することができる。そのため、不必要な開口箇所を設ける必要が無く、害虫の進入路となる開口部を形成しないよう構成することができ、また、切り込みから風が進入して本体部１がめくれてしまうことを抑制することができる。
【００４７】
また、本考案の本体部１の外形は、円形や、長方形に限られず、正方形や六角形、八角形等に形成することができる。
さらに、実施形態１〜５においては、植木鉢３に適用する例を示したが、地植えした植物に対しても当然に適用することができる。
【符号の説明】
【００４８】
１      本体部
１１    第１切断線
１２    第２切断線
１３    第３切断線
１４    第４切断線
１５    第５切断線
１６    第６切断線
２      止着手段
２１    面ファスナー（フック面）
２２    フック部
３      植木鉢
４      土壌
５      幹
【図１】
0003200538.tif 000003
【図２】
0003200538.tif 000004
【図３】
0003200538.tif 000005
【図４】
0003200538.tif 000006
【図５】
0003200538.tif 000007
【図６】
0003200538.tif 000008
【図７】
0003200538.tif 000009